(57)【要約】【課題】使い勝手の良好なテーブル付き自動販売機を提供する。【解決手段】収納商品の下部を嵌入可能な商品保持用の凹部１０４が上面に形成されたテーブル１００を前面扉２に設けたので、該凹部１０４に商品を安定して保持させることができる。またテーブル１００の縁部は上方に突出した凸部１０３を形成し、且つ、該凸部１０３はテーブル１００の上面から滑らかに連続しているので、テーブルの上面に載置したものの落下を防止することができる。【選択図】  図１
2004164240.tif 000002
【特許請求の範囲】
【請求項１】
収納商品を販売する自動販売機において、
収納商品の下部を嵌入可能な商品保持用の凹部が上面の少なくとも一部に形成されたテーブルを前面扉に設けた
ことを特徴とする自動販売機。
【請求項２】
前記凹部は横断面が円形となっている
ことを特徴とする請求項１記載の自動販売機。
【請求項３】
前記凹部は横断面が多角形となっている
ことを特徴とする請求項１記載の自動販売機。
【請求項４】
前記凹部の内壁面には商品に対して弾性変形による付勢する弾性体が付設されている
ことを特徴とする請求項１記載の自動販売機。
【請求項５】
前記テーブルの縁部は上方に突出した凸部を形成し、且つ、該凸部はテーブルの上面から滑らかに連続している
ことを特徴とする請求項１記載の自動販売機。
【発明の詳細な説明】
【０００１】
【発明の属する技術分野】
本発明は、収納商品を販売する自動販売機に関し、特にその前面扉にテーブルを付設したものに関する。
【０００２】
【従来の技術】
従来より前面扉にテーブルを付設した自動販売機が知られている（例えば特許文献１及び２参照）。このテーブルは、利用者が財布や鞄などの自分の荷物、購入した商品、釣り銭などを一時的に載置するために用いられる。
【０００３】
【特許文献１】
特開平９−１２０４８０号公報
【特許文献２】
特開平９−５０５６２号公報
【０００４】
【発明が解決しようとする課題】
しかし、従来の自動販売機では、テーブルに載置したもの、例えば釣り銭などの小さいものがテーブルから落下しやすいという問題点があった。特に、カップ式自動販売機ではテーブルにおいたカップを倒したり、カップから飲料をこぼしたりしやすかった。一方、手が不自由な人にとっては、購入した缶飲料のプルタブを開けるのが困難であるという問題点もあった。
【０００５】
本発明は、上記事情に鑑みてなされたものであり、その目的とするところは、使い勝手の良好なテーブル付き自動販売機を提供することにある。
【０００６】
【課題を解決するための手段】
上記目的を達成するために、請求項１の発明は、収納商品を販売する自動販売機において、収納商品の下部を嵌入可能な商品保持用の凹部が上面の少なくとも一部に形成されたテーブルを前面扉に設けたことを特徴とするものを提案する。
【０００７】
本発明によれば、テーブルに商品を保持する凹部が設けられているので、該凹部に商品を安定して保持させることができる。また、凹部に商品が保持されているので、商品が缶飲料の場合には缶のプルタブを片手で開けることができる。
【０００８】
本発明の好適な態様の一例として、請求項２では、請求項１記載の自動販売機において、前記凹部は横断面が円形となっていることを特徴とするものを提案する。また、請求項３では、請求項１記載の自動販売機において、前記凹部は横断面が多角形となっていることを特徴とするものを提案する。
【０００９】
また、請求項４の発明は、請求項１記載の自動販売機において、前記凹部の内壁面には商品に対して弾性変形による付勢する弾性体が付設されていることを特徴とする。
【００１０】
本発明によれば、凹部に商品を嵌入させると弾性体が弾性変形して該商品に付勢するので商品が凹部から抜けにくくなる、すなわち商品を確実に保持することができる。
【００１１】
さらに、請求項５の発明は、請求項１記載の自動販売機において、前記テーブルの縁部は上方に突出した凸部を形成し、且つ、該凸部はテーブルの上面から滑らかに連続していることを特徴とする。
【００１２】
本発明によれば、テーブルの縁部に凸部が形成されているので、テーブルの上面に載置したものの落下を防止することができる。また、テーブルの上面から凸部へは滑らかに連続しているので、テーブルに載置したもの、例えば硬貨などをテーブルから取り上げる際には、テーブル上を縁部に向かって滑らせることで縁部から容易に取り上げることができる。
【００１３】
【発明の実施の形態】
本発明の一実施の形態に係る自動販売機について図面を参照して説明する。図１は自動販売機の外観斜視図である。
【００１４】
図１に示すように、自動販売機１の前面扉２には、商品見本を陳列した商品見本陳列部３と、販売商品が搬出される商品取出口ユニット４と、金銭の授受に関する機能を集約した金銭取扱ユニット５と、商品取出口ユニット４の外側に付設した把手６と、金銭取扱ユニット５の下方に付設したテーブル１００とを備えている。商品見本陳列部３は前面扉２の上部に形成されており、販売可能ランプを内蔵した商品選択ボタン７が各商品見本毎に付設されている。商品取出口ユニット４は、商品見本陳列部３の下方であって左右一方の側（図１では左側）に付設されている。金銭取扱ユニット５は、商品取出口ユニット４の近傍であって該ユニット４よりも左右方向中央よりに付設されている。
【００１５】
以下、テーブル１００の構造について図２から図４を参照して詳述する。図２はテーブルの外観斜視図、図３はテーブルの取り付け具の拡大斜視図、図４はテーブルの断面図である。
【００１６】
テーブル１００は、下面開口の浅い横長箱形に形成されたテーブル本体１０１と、テーブル本体１０１の内側に形成された格子状のリブ１０２とを、樹脂等により一体成形したものからなる。テーブル本体１０１の左右角部は面取りされており滑らかなカーブを描いている。テーブル本体１０１の左右縁部及び前縁部には上方に延びる凸部１０３が形成されている。凸部１０３は、図４に示すように、テーブル本体１０１の上面から前面に亘って滑らかに連続した曲線を描いている。テーブル本体１０１の上面の一部には商品を保持するための横断面円形状の凹部１０４が形成されている。凹部１０４の直径は、商品の下部を収納可能な程度に設定されている。すなわち、例えば缶飲料の自動販売機なら缶の直径よりやや大きい程度に、カップ式の自動販売機ならカップの直径よりやや大きい程度に形成されている。
【００１７】
テーブル１００は、３組のテーブルステー１１０及びステー固定具１１１により自動販売機１の前面扉２に付設される。テーブルステー１１０は、図３及び図４に示すように、板金を屈曲形成してなる断面略コ字状の部材からなり、後端部が前面扉２と締結される。ステー固定具１１１は、板金を屈曲形成してなる断面略Ｌ字状の部材からなり、テーブルステー１１０をテーブル本体１０１の裏面に形成された凹部に押さえつけるようにテーブル本体１０１に締結される。
【００１８】
このような自動販売機１によれば、テーブル１００に商品を保持する凹部１０４が設けられているので、該凹部１０４に商品を安定して保持させることができる。これにより、凹部１０４に商品が保持されているので、商品が缶飲料の場合には缶のプルタブを片手で開けることができる。
【００１９】
また、テーブル１００の縁部に凸部１０３が形成されているので、上記凹部１０４以外のテーブル１００の上面に載置したものの落下を防止することができる。さらに、テーブル１００の上面から凸部１０３へは滑らかに連続しているので、テーブル１００に載置したもの、例えば硬貨などをテーブル１００から取り上げる際には、テーブル１００上を縁部に向かって滑らせることで縁部から容易に取り上げることができる。
【００２０】
なお、図５に示すように、テーブル１００の凹部１０４の内壁面に複数の凸部１０５を設けてもよい。この凸部１０５は、ゴムなどの弾性体からなる略三角形の平型部材であり、凸部１０５の頂点を結ぶ縁は商品の直径よりやや小さくなるように高さが設定されている。この凸部１０５は、凹部１０４の上端よりやや下方に位置した高さにおいて所定の間隔をもって複数設けられている。これにより、商品を凹部１０４に挿入すると凸部１０５が弾性変形して商品に付勢するので、商品の保持を確実にすることができる。
【００２１】
なお、図５に示すような凸部１０５にかえて、例えば図６〜図８に示す凸部１０６〜１０８を凹部１０４の内壁面に設けても同様の効果を得ることができる。図６に示す凸部１０６は、ゴムなどの弾性体からなる薄型リング状の部材に所定間隔で切れ込みを入れた形状となっており、凸部１０６の各片１０６ａは略三角形状となっている。各片１０６ａの頂点を結ぶ縁は商品の直径よりやや小さくなるように高さが設定されている。この凸部１０６は、凹部１０４の上縁部において所定の間隔をもって複数設けられている。また、各凸部１０６の各片１０６ａは、自重によりその先端部が下方にやや垂れ下がっている。
【００２２】
図７に示す凸部１０７は、ゴムなどの弾性体からなるリング状部材からなる。該凸部１０７の内径は、商品の直径よりやや小さくなるように設定されている。図７では、該凸部１０７を凹部１０４の内壁面において所定間隔をおいて上下に複数設けている。
【００２３】
図８に示す凸部１０８は、ゴムなどの弾性体からなる上下方向に延びる断面略三角形の棒状部材である。該凸部１０８の長さは凹部１０４の深さとほぼ一致するとともに、凸部１０８の頂点を結ぶ縁は商品の直径よりやや小さくなるように高さが設定されている。図８では、該凸部１０８を凹部１０４の内壁面に所定の間隔をおいて複数設けている。
【００２４】
また、上記実施の形態では、凹部１０４の断面形状を円形としたが多角形としてもよい。さらに、凹部１０４を複数形成するようにしてもよい。
【００２５】
【発明の効果】
以上詳述したように、請求項１の発明によれば、テーブルに商品を保持する凹部が設けられているので、該凹部に商品を安定して保持させることができる。また、凹部に商品が保持されているので、商品が缶飲料の場合には缶のプルタブを片手で開けることができる。
【００２６】
また、請求項４の発明によれば、凹部に商品を嵌入させると弾性体が弾性変形して該商品に付勢するので商品が凹部から抜けにくくなる、すなわち商品を確実に保持することができる。
【００２７】
さらに、請求項５の発明によれば、テーブルの縁部に凸部が形成されているので、テーブルの上面に載置したものの落下を防止することができる。また、テーブルの上面から凸部へは滑らかに連続しているので、テーブルに載置したもの、例えば硬貨などをテーブルから取り上げる際には、テーブル上を縁部に向かって滑らせることで縁部から容易に取り上げることができる。
【図面の簡単な説明】
【図１】自動販売機の外観斜視図
【図２】テーブルの外観斜視図
【図３】テーブルの取り付け具の拡大斜視図
【図４】テーブルの断面図
【図５】他の例に係るテーブルの上面図
【図６】他の例に係るテーブルの上面図
【図７】他の例に係るテーブルの上面図
【図８】他の例に係るテーブルの上面図
【符号の説明】
１…自動販売機、２…前面扉、３…商品見本陳列部、４…商品取出口ユニット、５…金銭取扱ユニット、６…把手、７…商品選択ボタン、１００…テーブル、１０１…テーブル本体、１０２…凸部、１０３…凹部、１０５，１０６，１０７，１０８…凸部、１１０…テーブルステー、１１１…ステー固定具
【図１】
2004164240.tif 000003
【図２】
2004164240.tif 000004
【図３】
2004164240.tif 000005
【図４】
2004164240.tif 000006
【図５】
2004164240.tif 000007
【図６】
2004164240.tif 000008
【図７】
2004164240.tif 000009
【図８】
2004164240.tif 000010